(57)【特許請求の範囲】
【請求項１】
パチンコ球を受入れる球入口と、
前記球入口を閉塞してパチンコ球を受け入れ難い第一状態と該球入口を開放してパチンコ球を受け入れ易い第二状態とに変化可能な可動部材と、
前記可動部材を可動する電気的駆動源と、
前記第二状態のとき、前記球入口を通過したパチンコ球が導かれる凹室と、
前記可動部材及び前記凹室の下方に位置してパチンコ球が遊動する転動部と、を備えた変動入賞装置であって、
前記可動部材は流入口と流出口とを有し、その内部をパチンコ球が通過可能な中空貫通状に形成し、前記第一状態のとき前記流入口から流入したパチンコ球を前記流出口から流出し前記転動部に導くようにしたことを特徴とする変動入賞装置。
【発明の詳細な説明】
【０００１】
【発明の属する技術分野】
本発明は、パチンコ球を受入れる球入口と、パチンコ球を捕捉して前記球入口に導く可動部材とを備え、所定の遊技条件により前記可動部材が可動する変動入賞装置に関するものである。
【０００２】
【従来の技術】
従来の変動入賞装置は、可変表示装置の表示態様によってパチンコ球を全く受入れないか若しくは受入れ難い第一状態とパチンコ球を受入れる第二状態とに変化可能としている。また、前記変動入賞装置は、パチンコ球を受入れる球入口を形成し、前記球入口を遊技盤面と直交する面内で可動して開閉する扉板を設けた所謂「アタッカー」タイプと、前記球入口を遊技盤面と平行な面内で可動する翼片により開閉する所謂「羽根もの」タイプと、さらには逆ハ字状に傾動自在な一対の翼片で開閉する「チューリップ」タイプとがある。
【０００３】
そして、例えば上記変動入賞装置が設けられたパチンコ遊技機は、遊技盤の中央部に種々の数字，文字，図柄等の表示記号を変動可能に表示する可変表示部を有する中央装置を装着し、その下方に始動入賞口を設け、該始動入賞口に打球が入賞すると可変表示装置に表示される数字，文字，図柄等をランダムに変動させ、各表示が同じ数字，文字または図柄で停止すると前記変動入賞装置が球入口を開放し遊技者にとって有利となる特定遊技状態となるものが知られている。
【０００４】
【発明が解決しようとする課題】
ところで、前記変動入賞装置の扉板または翼片は、特定遊技状態において前記球入口を開放するものの、通常の遊技状態において単に球入口を閉塞するのみであり何の変化も働きもしておらず、使用態様が限られたものとなり従来の態様に飽きられ遊技者の興趣を惹きつけることができないという問題があった。
【０００５】
そこで、本発明は上記課題を解決すべくしてなされたもので、その目的は単に入賞領域の球入口を開閉するのみでなく、可動部材を遊技部品の一部として有効に利用し遊技者に興趣を与える新規な変動入賞装置を提供することにある。
【０００６】
【課題を解決するための手段】
かかる目的を達成するため、請求項１記載の発明は、パチンコ球を受入れる球入口と、前記球入口を開閉する可動部材とを備えた変動入賞装置であって、前記可動部材は前記球入口を閉塞する状態で内部をパチンコ球が流下し得るように中空貫通状に形成したことを特徴とする。そして、前記可動部材の開閉動作により前記球入口に全くパチンコ球を受入れないか若しくは受入れ難い第一状態および前記球入口にパチンコ球を受入れ易い第二状態とに変化可能とした。また、パチンコ球が前記可動部材の内部を流下することによりパチンコ球の流下方向を変化させる誘導樋の役割をなすことができる。なお、本発明における「中空貫通状」とは可動部材の内部をパチンコ球が流下し誘導され得る状態を示し、断面ロ字型は当然のことながら断面コ字型および一部が断面Ｌ字型をも含むものである。また、前記球入口は該球入口から入るパチンコ球が入賞球となる入賞領域をも含む。
【０００７】
請求項２記載の発明は、請求項１記載の発明において、前記可動部材を電気的駆動源の駆動により可動するようにしたことを特徴とし、可動部材を可動することにより球入口を開放し遊技盤面を流下するパチンコ球を捕捉して前記球入口に導くようにした。前記電気的駆動源はソレノイドまたはモータ等であり、所定条件により駆動して前記可動部材を可動するようにした。
【０００８】
請求項３記載の発明は、請求項１または２記載の発明において、前記可動部材の内部にパチンコ球の流下を規制または変化させる障害部材を設けたことを特徴とする。前記障害部材は、例えば風車のように可動するものであっても固定的に設けられるガイド部材であってもよい。
【０００９】
請求項４記載の発明は、請求項１乃至３のいずれかに記載の発明において、前記可動部材の下方に位置してパチンコ球が不規則に遊動する転動部を設け、前記可動部材の中空内部を流下したパチンコ球が前記転動部に流出するようにしたことを特徴とする。中空貫通状に形成した可動部材のパチンコ球が流出する流出口を前記転動部に向って流出するように設けるのが好ましい。
【００１０】
請求項５記載の発明は、請求項１乃至４のいずれかに記載の発明において、前記可動部材は遊技盤面と平行な面内で可動し、遊技盤面を流下するパチンコ球を捕捉して前記球入口に導くようにしたことを特徴とし、前記球入口を可動部材としての翼片により開閉する所謂「羽根物」である。前記可動部材は回動式またはスライド式であってもよい。
【００１１】
請求項６記載の発明は、請求項１乃至４のいずれかに記載の発明において、前記可動部材は遊技盤面と直交する面内で可動し、遊技盤面を流下するパチンコ球を捕捉して前記球入口に導くようにしたことを特徴とし、前記球入口を可動部材としての開閉扉により開閉する所謂「アタッカー」である。前記開閉扉は軸支により前後方向に傾動自在に設けるのが好ましい。
【００１２】
請求項７記載の発明は、請求項１乃至４のいずれかに記載の発明において、遊技盤の前面に球入口を開設した入賞ケースを突出状に設け、前記入賞ケースの上方に逆ハ字状に傾動自在な一対の可動部材を設け、前記可動部材は遊技盤面と平行な面内で可動し、遊技盤面を流下するパチンコ球を捕捉して前記球入口に導くようにしたことを特徴とし、可動部材としての可動翼片を開閉する所謂「チューリップ」である。前記球入口は一対の可動部材によって形成され、常態では一対の可動部材間の球入口からパチンコ球が全く受入れないか若しくは受入れ難い状態にある。
【００１３】
前記変動入賞装置に種々の数字，文字，図柄等の表示記号を変動表示し得る可変表示装置を設けるのが好ましく、遊技盤面を有効に使用することができる。また、前記可変表示装置の表示を変動させる始動入賞口を前記可動部材の下方に位置して設け、前記可動部材の中空内部を通過したパチンコ球を前記入賞口に向って放出するように流出口を開口して該入賞口に入賞しやすくするのがよい。
【００１４】
前記障害部材は、可動部材が球入口を開放する状態の際に可動部材の中空内部を流下するようにして、前記障害部材によりパチンコ球を入賞領域に形成した特別入賞口または一般入賞口に振分ける振分け手段としてもよい。
【００１５】
また、前記可動部材は少なくともパチンコ球１個が流下可能となるように中空貫通して形成すればよく、パチンコ球が流入する流入口は複数のパチンコ球が流入可能な幅広としてもよい。
【００１６】
前記可動部材は、少なくとも前面側を透光性樹脂により形成するのが好ましく、可動部材内部を通過するパチンコ球が視認できるようにするのがよい。
【００１７】
前記可動部材が前記球入口を開放する状態で遊技盤面を流下するパチンコ球を捕捉して、前記可動部材内部をパチンコ球が流下し前記球入口に導くようにするのがよい。前記球入口に導くすべてのパチンコ球を可動部材内部を流下するようにすることで、球入口の閉鎖時に余分な入賞球を排除することができる。
【００１８】
前記変動入賞装置を遊技盤に備え、前記可動部材の流出口近傍に通過チャッカー等の入賞口を設けるのが好ましく、前記可動部材を誘導樋として中空内部を通過したパチンコ球を前記入賞口に向って放出するようにして該入賞口に入賞しやすくするのがよい。
【００１９】
【発明の実施の形態】
以下に本発明に係る変動入賞装置およびパチンコ遊技機の実施の形態を図面と共に説明する。図１は本発明の変動入賞装置を備えたパチンコ遊技機の正面図であり、図において、１はパチンコ遊技機の機枠、２は前記機枠１の前面に開閉自在に装着される前面枠で、前記前面枠２には取付枠を介して遊技盤３が着脱自在に装着されている。前記前面枠２の前面に前記遊技盤３が臨むガラス扉枠４と打球供給皿５を装着した前面板６とがそれぞれ開閉自在に蝶着されている。また、打球供給皿５の下方には該打球供給皿５の余剰球を貯留する余剰球受皿７が設けられ、その側方に打球発射用の操作ハンドル８が配設されている。
【００２０】
前記遊技盤３の前面にはガイドレール１０が敷設されている。該ガイドレール１０に囲まれる遊技部３ａの略中央に本発明に係る変動入賞装置１１が設けられ、該変動入賞装置１１の直下に可動片１５ｂ、１５ｂを備えたチューリップ型の始動入賞口１５が設けられている。また、遊技領域３ａには通過チャッカー１３，一般入賞口１４，始動入賞口１５等の入賞口や打球の流下方向を変える風車１６および障害釘１７を配設すると共に、前記ガイドレール１０の内側下端部にアウト口１９を設けている。前記始動入賞口１５は後述する可変表示装置２７の図柄を変動させる入賞口であり、電気的駆動源（図示せず）により可動片１５ｂ、１５ｂを開閉し、内部には入賞球を検出する入賞球検出器１５ａが設けられている公知的な入賞口である。
【００２１】
前記変動入賞装置１１は所謂「羽根物」であり、図２乃至図６に示すように遊技盤３の表面に取付ける取付基板２０を有し、該取付基板２０の前面側に突出部としての飾り部材２１および球受棚２２を突出して設けることによって周方向（図上左右両側）に球入口２３，２３を形成すると共に、前記球入口２３，２３を開閉する可動部材としての左右一対の翼片２８，２８を前記取付基板２０と平行な面内で可動自在に設けている。また、前記球入口２３，２３に連通して箱枠内に入賞領域としての凹室２４を形成しており、前記凹室２４の底壁に特別入賞口３５と一般入賞口３６とを開設して、前記特別入賞口３５および一般入賞口３６のそれぞれに入賞したパチンコ球を検出する検出器３５ａ，３６ａを設けている。さらに、前記凹室２４の下方に棚部４１を介してパチンコ球が不規則に遊動する転動部４０が設けられており、該転動部４０は前記始動入賞口１５にむかって下傾する凹溝状の誘導部４０ａとパチンコ球が不規則に遊走する緩やかな円弧状の遊走部４０ｂとで構成されている。
【００２２】
前記翼片２８，２８の各々は、図２および図５に示すように内部を直径約１１ｍｍのパチンコ球が通過可能な断面ロ字型の中空貫通状に形成し、前記翼片２８は少なくとも前面側を透光性樹脂により形成し、遊技盤３面を流下するパチンコ球が貫通状に形成された翼片２８の流入口３７から中空内部を通過して流出口３８から流出するのが視認できるようにしている。また、翼片２８は後面のほぼ中央に支軸３０を設けており、前記球入口２３の下端に位置して前記取付基板２０の裏面に設けた円筒形の軸受３１に前記支軸３０を挿通して前記取付基板２０に回動自在に軸着され、前記軸受３１の後端から臨んだ支軸３０にリンク部材３２を介装することにより電気的駆動源としてのソレノイド２９の作動体３３と連結して、該ソレノイド２９の駆動により前記翼片２８，２８が可動するようにしている。
【００２３】
そして、前記翼片２８，２８の流入口３７から中空内部を通過して流出口３８から流出したパチンコ球は棚部４１を介して前記転動部４０に導かれて転動し、翼片２８の可動時に翼片２８で受けて捕捉したパチンコ球は球受棚２２を介して凹室２４内に導かれ、前記特別入賞口３５または一般入賞口３６に入賞するようにしている。
【００２４】
また、前記凹室２４の後方に窓孔２５を形成し保護板２６を介して種々の数字，文字，図柄等の表示記号を変動表示し得る液晶ディスプレイ型の可変表示装置２７が配設され、前記窓孔２５から可変表示装置２７の表示部２７ａを視認可能としている。さらに、前記飾り部材２１には普通図柄表示部４２が設けられ、前記通過チャッカー１３の通過信号により普通図柄表示部４２の図柄が変動し、該図柄が「７」等の所定図柄の表示となることにより前記始動入賞口１５の可動片１５ｂ、１５ｂが所定時間開閉動作を行う。また、前記普通図柄表示部４２の両側に始動入賞口１５の入賞記憶表示部４３が設けられ、可変表示装置２７の表示部２７ａの変動中に始動入賞口１５に入賞した球数を記憶表示する。この実施の形態において入賞記憶表示部４３はＬＥＤ等の点灯により最高４個まで表示するようにしている。
【００２５】
上記構成からなる変動入賞装置１１は、前記翼片２８，２８により前記球入口２３，２３を閉塞してパチンコ球を受入れない第一状態と球入口２３を開放してパチンコ球を受入れる第二状態とに変化可能としている。そして、ソレノイド２９が消磁して翼片２８，２８を起立させて前記球入口２３，２３が閉塞する第一状態では、前記翼片２８の流入口３７が開放して流出口３８が棚部４１に向って開口位置しており、遊技盤３面を流下するパチンコ球が流入口３７から流入可能としている。そして、変動入賞装置１１が上記第一状態のとき遊技盤３の遊技領域３ａに打ち込まれたパチンコ球が翼片２８の流入口３７に流入すると、該パチンコ球は図５に示すように翼片２８の中空内部を流下して流出口３８から棚部４１に流出し転動部４０に導かれる。転動部４０に導かれたパチンコ球は、遊走部４０ｂを左右に遊動し遊技盤３面に再度放出されるか誘導部４０ａに移動して該誘導部４０ａから始動入賞口１５に向って放出される。そして、始動入賞口１５に入賞すると入賞球検出器１５ａにより検出されて、図示しない球払出装置から入賞球１個に相当する所定数（例えば５個）の賞球が打球供給皿５に払い出されると共に、可変表示装置２７の可変表示部２７ａに表示された数字，文字，図柄等がランダムに変動する。そして、所定時間経過すると可変表示部２７ａの変動が止まり、予め設定された数字，文字または図柄（例えば「７，７，７」等のゾロ目）で停止したことを条件にソレノイド２９が励磁して球入口２３が開放する第二状態である特定遊技状態となる。なお、転動部４０へは遊技盤３面側を流下するパチンコ球が障害釘１７等に跳ねて飛入することもある。
【００２６】
前記特定遊技状態では、前記変動入賞装置１１のソレノイド２９が励磁してスプリング４５の付勢に抗してプランジャ４６が吸引され、それにともない作動体３３が上動してリンク部材３２を介して翼片２８，２８が図２鎖線および図４に示すように傾動して球入口２３，２３を開成し、遊技盤３面を流下するパチンコ球が翼片２８，２８に受けられ捕捉されると球入口２３，２３から球受棚２２を介して凹室２４に導かれ一定時間経過するまでの間、または所定個数（例えば１０個）の入賞球を入賞球検出器３５ａ，３６ａが検出するまでの間開成し続け、特別入賞球検出器３５ａで入賞球を検出したことを条件に、所定回数（例えば１６回）翼片２８，２８を連続して可動して球入口２３，２３を開閉する動作を繰り返す。
【００２７】
図７は、前記翼片２８をワープ通路の一部とした実施の形態を示し、該ワープ通路４８は、変動入賞装置１１の飾り部材２１にワープ入口４８ａが形成され、飾り部材２１内に前記ワープ入口４８ａに連通して左右に振分けるように通路部４８ｂが形成されている。そして、通路部４８ｂの終端４８ｃ，４８ｃと前記翼片２８，２８の流入口３７とが合致してワープ通路４８に流入したパチンコ球が翼片２８内に流下可能としている。前記翼片２８，２８が球入口２３を閉鎖している第一状態において、ワープ入口４８ａに遊技盤３面を流下するパチンコ球が流入すると該パチンコ球は通路部４８ｂを経由して流入口３７から翼片２８内を通過し、流出口３８から棚部４１を介して転動部４０に導かれる。次に、翼片２８，２８が球入口２３を開放している第二状態においては、ワープ入口４８ａから流入したパチンコ球は通路部４８ｂの終端４８ｃ，４８ｃから落下して翼片２８に受けられて球入口２３に導かれ入賞領域の凹室２４に入賞する。一方、遊技盤３面を流下するパチンコ球が流入口３７から翼片２８内に流入すると棚部４１を介して転動部４０に導かれる。なお、この実施の形態において翼片２８の流入口３７を通路部４８ｂの終端４８ｃ幅より拡開して形成して終端４８ｃからのパチンコ球を確実に受入れるようにしており、さらに翼片２８内部の流路形状の一部を湾曲してパチンコ球が流下しやすいようにしている。
【００２８】
上記実施の形態において可動部材２８を可動する電気的駆動源をソレノイド２９としたがモータとしてもよく、図８乃至図１０にその実施の形態を示す。なお、この実施の形態の変動入賞装置は前記実施の形態と電気的駆動源を除いてほぼ同じ構成であるためその構成要素には同一符号を付して説明する。図１０に示すようにパチンコ球が流下可能な中空貫通状に形成された翼片２８，２８の支軸３０には従動歯車５０ａ，５０ｂが固着され、一方の従動歯車５０ａは電気的駆動源としての正逆モータ５１の駆動軸５２に固着された駆動歯車５３と噛合し、他方の従動歯車５０ｂは前記駆動歯車５３と同形状の中間歯車５４を介して駆動歯車５３と噛合連繋しており、正逆モータ５１の駆動により同図矢印に示すように左右の翼片２８，２８が互いに同角度で逆回転するようにしている。
【００２９】
次に上記構成の変動入賞装置１１の作用について説明する。この実施の形態においても前記実施の形態と同様に翼片２８，２８は球入口２３，２３を閉塞する第一状態と球入口２３を開放する第二状態とに変位するが、通常時翼片２８，２８は球入口２３，２３を閉塞すると共に翼片２８の流入口３７も前記飾り部材２１によって閉塞された状態にある。そして、所定条件により正逆モータ５１が正転駆動すると駆動歯車５３，中間歯車５４，従動歯車５０ａ，５０ｂの噛合により翼片２８，２８が図８に示すように左右に２０°程度回動して、流入口３７が開放してパチンコ球が翼片２８，２８内に流入可能となると共に流出口３８が前記始動入賞口１５に近接して入賞しやすい状態で停止する。このとき球入口２３，２３はまだ閉塞された第一状態にありパチンコ球が球入口２３，２３から入球することはない。この状態でパチンコ球が流入口３７から翼片２８，２８内に流入すると、該パチンコ球は流出口３８から始動入賞口１５に向って流出し、始動入賞口１５への入賞の期待感が高まる。また、前記可変表示装置２７の表示が特定表示となったことを条件に正逆モータ５１が正転駆動して、翼片２８，２８が図９に示すように回動し球入口２３，２３を開放する第二状態で停止する。そして、翼片２８，２８で受けたパチンコ球が入賞領域に流入して所定個数または所定時間の条件のもと特定入賞口３５への入賞を条件に翼片２８，２８が正逆モータ５１の正逆駆動により所定回数の開閉を繰り返す。このとき、遊技盤３面を流下するパチンコ球を翼片２８，２８内に流入可能としてもよいが、図９に示すように障害釘１７または近傍に設けられる盤面部品の外壁により流入口３７を閉塞して流入口３７からの流入を阻止するようにしてもよい。なお、翼片２８，２８を図８鎖線に示す流入口３７が開放した状態から同図実線位置に戻すことなく図９実線に示す球入口２３を開放する状態に直接変位することも可能である。なお、翼片２８，２８が図８実線および鎖線に示す位置と図９実線に示す位置とに正確に停止するようにフォトセンサにより回転位置を検知して制御するようにするのが好ましい。このとき前記駆動歯車５３，中間歯車５４，従動歯車５０ａ，５０ｂのいずれかに透孔を穿設して回転制御するフォトセンサの遮蔽板とするのがよい。
【００３０】
また、図１１は変動入賞装置の翼片タイプの他の実施の形態を示し、この実施の形態の翼片２８，２８は下方を外側に屈曲した弓弧状に形成され、内部を中空貫通してパチンコ球が翼片２８，２８内を通過可能としている。そして、前記翼片２８，２８は、球入口２３を閉塞する第一状態においてパチンコ球の流入口３７を互いに対向するテーパー状に形成し、飾り部材２１により翼片２８，２８内にパチンコ球が導かれやすくしている。また、変動入賞装置１１の下方に始動入賞口１５が設けられ、前記翼片２８，２８の流出口３８の近傍に位置して通過チャッカー１３を設けている。
【００３１】
この変動入賞装置１１は、第一状態において翼片２８，２８がパチンコ球を通過チャッカー１３に導く誘導樋の役割をなして、翼片２８，２８内を通過するパチンコ球を通過チャッカー１３に向って放出し普通図柄表示４２を変動させるようにしている。そして、第二状態においては翼片２８，２８が可動して球入口２３を開放し、翼片２８，２８がパチンコ球を捕捉して球入口２３から入賞領域２４にパチンコ球を導くのは当然のことながら、翼片２８，２８の可動時であっても流入口３７からパチンコ球が流入可能な状態にあり、変動入賞装置１１の下方に位置する始動入賞口１５に導く誘導樋の役割をなしている。この状態で翼片２８，２８内に流入したパチンコ球は始動入賞口１５に向って放出されて該始動入賞口１５に入賞しやすくしている。
【００３２】
このように、可動部材としての翼片２８，２８を中空貫通状にして誘導樋の役割をなすことによって、従来のように多数の障害釘１７を設けてパチンコ球を誘導することもなく、翼片２８，２８内を通過するパチンコ球を翼片２８，２８の形状に沿って左又は右への流れに勢いをつけさせ、その勢いで通過チャッカー１３または始動入賞口１５の方に転動させて興味を増大させることができる。
【００３３】
また、上記実施の形態において翼片２８，２８内を流下するパチンコ球はすべて入賞領域２４に入賞することなく、転動部４０または遊技盤３面に誘導放出するようにしたが、図１２に示すように翼片２８，２８のほぼ中央を球入口２３のほぼ中央に位置して軸支３０して、翼片２８，２８が同図鎖線に示す前記球入口２３を開放する状態で遊技盤３面を流下するパチンコ球を翼片２８，２８の上面で捕捉して前記球入口２３に導くと共に、流入口３７から前記翼片２８，２８内部に受入れて前記球入口２３に導き入賞領域２４に入賞するようにしてもよい。遊技者は一見球入口２３が僅かしか開放しないかのように錯覚するが、実際は翼片２８，２８内を流下するパチンコ球が入賞することで球入口２３が倍開放したことになる。さらに翼片２８，２８内を流下したパチンコ球を特別入賞口３５に入賞しやすくさせることができ、大当り時の確実な継続性が保証される。
【００３４】
また、上記説明した変動入賞装置１１は、前記可変表示装置２７の特定表示により可動するようにしたが、上記使用状態に限定されることなく、例えば遊技盤３に前記変動入賞装置１１の翼片２８，２８を可動させる始動入賞口１５を設け、該始動入賞口１５に入賞すると翼片２８，２８がそれぞれ所定回数（２回または１回）開閉して球入口２３を開放するようにしてもよい。そして、その翼片２８，２８の開放時にタイミングよく該翼片２８，２８に捕捉され入賞領域２４に入賞して特別入賞口３５に入賞し検出器３５ａで検知されると「当たり」となり翼片２８，２８を可動して球入口２３の開閉を所定時間または所定個数の入賞を１ラウンドとして所定ラウンド繰り返し継続する。また、前記翼片２８，２８に流入したパチンコ球を流出口３８から始動入賞口１５に向って放出するようにすることにより、始動入賞口１５に入賞する期待感を増幅することができる。
【００３５】
なお、これまで記した実施の形態において可動部材としての翼片２８を一対のものとして説明したが、必ずしも一対である必要はなく一方の翼片２８のみで球入口２３を開閉するようにしてもよいのはいうまでもない。また、球入口２３を開閉する翼片２８を支軸３０により回動自在としたが、可動部材の可動態様は限定されることなくスライド自在としてもよい。
【００３６】
また、前記翼片２８は少なくとも前面側を透光性樹脂により形成するようにしたが、翼片２８を不透光性樹脂により形成して翼片２８内部を通過するパチンコ球を視認できなくして、流出口３８から再度出現するタイミングに意外性を付加するようにしてもよい。また、本発明にいう「中空貫通状」とは内部をパチンコ球が流下し誘導され得る状態を示し、断面ロ字型に限定されることなく翼片２８の前面または後面が開放したコ字状としてもよく、翼片２８は開放側を前記取付基板２０またはガラス扉枠４のガラス等の透明板で閉塞し、該翼片２８内をパチンコ球が流下誘導するようにすればよい。なお、表示装置２７等の側壁を利用することにより翼片２８の一部をＬ字型としてもよい。
【００３７】
さらに、実施の形態において翼片２８を流入口３７および流出口３８が同一面内となるようにパチンコ球が通過可能な中空貫通状に形成して、遊技盤３面を流下するパチンコ球を流入口３７で受入れて流出口３８から遊技盤３面に放出するようにしたが、流出口３８を遊技盤３面側に形成し、少なくとも翼片２８が球入口２３を閉塞する位置で取付基板２０および遊技盤３に前記流出口３８に合致する入賞球口を開設するようにしてもよい。このようにすることで、球入口２３を閉塞する第一位置で翼片２８が入賞口とすることができる。好ましくは、球入口２３を開放する第二位置では流入口３７からパチンコ球が流入しないようにするのがよく、さらには前記入賞球口を閉塞するのがよい。
【００３８】
また、翼片２８を１個のパチンコ球が通過可能な中空貫通状に形成するようにしたが、その形状に限定されるものではなく複数個のパチンコ球が通過できるようにしても、流入口３７をパチンコ球が受入れやすいように漏斗状に拡開するように形成してもよい。さらに、翼片２８内でのパチンコ球の流下動作を興趣あるものとするために、翼片２８内面に突起を設けたり屈曲させたりしてパチンコ球の流下態様が変化するようにしてもよい。前記流入口３７を漏斗状に拡開した場合に図８乃至図１０に示したように正逆モータを使用することにより流入口３７の開口幅を多段階に調整してパチンコ球の流入度合を変化させることができる。この使用例として前記入賞記憶表示部４３（保留ランプ数）の点灯数に応じて流入口３７の開口幅を変動させればよく、例えば保留ランプが少ないときに流入口３７の開口幅を広くして保留ランプが多く点灯するほど流入口３７の開口幅を狭めて入り難くすることにより、遊技店と客のバランスをとることができる。
【００３９】
図１３および図１４は変動入賞装置の他の実施の形態を示している。この実施の形態において変動入賞装置１１ａは所謂「アタッカー」であり、前記変動入賞装置１１と同じ構成要素には同一符号を付して説明する。この変動入賞装置１１ａは取付基板２０の前面に球入口としての横長の開口５５が設けられると共に該開口５５を閉塞するように可動部材としての開閉扉５６が遊技盤３面と直交する面内で可動することにより前方に張り出すように軸支５８されている。そして、開口５５の後面に箱枠５７を設け、該箱枠５７の内部凹室２４を入賞領域として特別入賞口３５と一般入賞口３６とが形成されており、それぞれに検知スイッチ３５ａ，３６ａが設けられている。また、開口５５の上方には可変表示装置２７が設けられ、開口５５の下方にはパチンコ球が不規則に遊動する転動部４０が形成されている。
【００４０】
前記開閉扉５６は、前面側を幅方向に複数のパチンコ球が通過可能な中空貫通状に形成し、上面は回動軸５８を中心としたほぼ円弧形状としている。そして、開閉扉５６は凹室２４の奥端で軸支５８して電気的駆動源としてのソレノイド２９により傾動自在に取着している。具体的にはソレノイド２９が前記箱枠５７の後面に設けられ、ソレノイド２９のプランジャ４６にレバー部材５９が装着されている。前記レバー部材５９には係合部６０が形成され、前記開閉扉５６の側方に設けた係合突起６１を係合させてソレノイド２９と開閉扉５６とを連繋して、ソレノイド２９の消励磁によって開閉扉５６を傾動するようにしている。
【００４１】
上記変動入賞装置１１ａは、ソレノイド２９が消磁した第一状態のとき図１４に示すようにプランジャ４６がスプリング４５の付勢により下方に押し下げられて、開閉扉５６は傾斜状に起立して開口５５を後面壁５６ａで閉成して中空内部をパチンコ球が通過可能状態としており、遊技盤３面を流下するパチンコ球を開閉扉５６の前面側の前面壁５６ｂで受けて転動部４０にパチンコ球を導くようにして、前記転動部４０で遊動したパチンコ球は下方に位置する始動入賞口１５または遊技領域３ａに向って放出される。一方、ソレノイド２９が励磁した第二状態のとき、図１４鎖線に示すようにプランジャ４６がスプリング４５の付勢に抗して吸引され、レバー部材５９を引き上げ係合部６０に係合する係合突起６１を上動して開閉扉５６を回動して開口５５を開成し、開閉扉５６で捕捉したパチンコ球を特別入賞口３５または一般入賞口３６のいずれかに導くようにして、変動入賞装置１１ａの開閉扉５６を一定時間経過するまでの間、または所定個数（例えば１０個）の入賞球を入賞球検出器３５ａ，３６ａが検出するまでの間開成し、入賞球検出器３５ａで入賞球を検出したことを条件に、所定回数（例えば１５回）開閉扉５６を連続して開ける動作を繰り返す。この開閉扉５６の開成時には該開閉扉５６の中空内部をパチンコ球が通過することはない。
【００４２】
なお、上記実施の形態において、変動入賞装置１１，１１ａに可変表示装置２７を備えるようにしたが、必ずしも一体に設けることはなく別体に設けるようにしてもよい。また、可動部材２８，５６の下方に位置する転動部４０も必ず設けなければならないものではない。
【００４３】
図１５および図１６は、「アタッカー」タイプの他の実施の形態を示す。なお、この実施の形態の変動入賞装置は前記した変動入賞装置と異なる点は可変表示装置２７および転動部４０を設けていない点と可動部材である開閉扉の動きであるため前記変動入賞装置と同じ構成要素には同一符号を付して説明する。該変動入賞装置１１ａは取付基板２０に球入口としての横長の開口５５を開設し、該開口５５を開閉するように可動部材として開閉扉５６を遊技盤３面と直交する面内で可動するように傾動自在に設けている。前記開閉扉５６は前面側を複数のパチンコ球が通過可能なように中空貫通状に形成され、前記開閉扉５６の上端部を開口５５端に軸支５８して前記実施の形態と同様にソレノイド２９の消励磁によって前後方向に回動するように装着される。そして、ソレノイド２９の消励磁によって開閉扉５６内を流下するパチンコ球をそのまま遊技盤３面に流下させたり、入賞球として開口５５から凹室２４に導くようにしたりするようにしている。
【００４４】
上記構成の変動入賞装置１１ａは、図１５に示すようにソレノイド２９が消磁して開閉扉５６を起立させて後面壁５６ａで開口５５を閉塞した第一状態のとき、遊技盤３面を流下するパチンコ球が前記開閉扉５６の中空内部を通過し得る状態にあり、開閉扉５６の中空内部を通過したパチンコ球は再度遊技盤３面を流下して入賞口１４，１５またはアウト口１９に導かれる。そして、図１６に示すようにソレノイド２９が励磁してプランジャ４６が上方に吸引され開閉扉５６が開口５５を開放する第二状態、つまり開閉扉５６の下端が後方に傾動して凹室２４に入り込んで流出口３８が特別入賞口３５または一般入賞口３６に臨んだとき、遊技盤３面を流下するパチンコ球が流入口３７から開閉扉５６の中空部に流入して前面壁５６ｂで受けられると、該パチンコ球は開閉扉５６の中空内部を通過して凹室２４に導かれ、特別入賞口３５または一般入賞口３６のいずれかに入賞する。そして、所定個数（例えば１０個）の入賞球が球検知スイッチ３５ａ，３６ａで検知されるとソレノイド２９が消磁して開閉扉５６が前方に回動して開口５５を閉塞する第一状態に復動する。
【００４５】
このように、この実施の形態の変動入賞装置１１ａは、球入口２３の開放時には開閉扉５６が遊技盤３面を流下するパチンコ球の流れ方向に沿って傾動し、球入口２３を閉塞する際にも遊技盤３面を流下するパチンコ球を流入口３７で受けながら復動しようとする。このため開閉扉５６は、球入口２３の開閉時に球詰りを起すことはなく、確実に球入口２３を開閉することができる。
【００４６】
さらに、所定個数のパチンコ球が入賞すると開閉扉５６が支軸５８を中心に前方に押出すように復動するため、図１６鎖線のように復動しようとする開閉扉５６の小さな回動角で開閉扉５６が凹室２４から後退して後面壁５６ａが特別入賞口３５および一般入賞口３６の上方に臨むことになり、開閉扉５６内に流入したパチンコ球の入賞を不可能にするため、球検知スイッチ３５ａ，３６ａで所定個数（例えば１０個）が検知された以降の後続のパチンコ球は例え開閉扉５６内に流入したとしても流出口３８から遊技盤３面に放出され余分な入賞球が発生せず、ホールとして所定個数以上の余分な賞球を払出すことがない。なお、前記変動入賞装置１１ａは、可変表示装置２７および始動入賞口１５の下方に位置して設けるのが好ましい。
【００４７】
図１７乃至図１９は、中空状に形成した可動部材内を流下するパチンコ球の流下を規制または変化させ流下方向を変える障害部材を設けるようにした実施の形態を示す。特に複数個のパチンコ球が流下可能な開閉扉５６内に設けるのが好ましく、図１７および図１８に障害部材として可動する風車６３を示し、図１９に固定的に設けられた山型状のガイド部材６４を示す。このように開閉扉５６の中空部に障害部材６３，６４を設けることで、ただ単にパチンコ球が開閉扉５６内を流下するだけでなく、風車６３およびガイド部材６４によってパチンコ球の流下方向が変化する流下動作を楽しむことができる。また、図１８鎖線に示すように上記障害部材６３，６４を設けた開閉扉５６が開口５５を開放する第二状態において、開閉扉５６内を流下するパチンコ球を入賞領域に導くようにした際に、開閉扉５６内を流下するパチンコ球を上記障害部材６３，６４によって特別入賞口３５または一般入賞口３６へ振分けることができ、上記障害部材６３，６４を振分け手段とすることができる。
【００４８】
なお、前記開閉扉５６は少なくとも遊技者側の前面壁５６ｂを透光性樹脂により形成するのが好ましく、開閉扉５６内部を通過するパチンコ球が視認できるようにするのがよい。
【００４９】
本発明の変動入賞装置は、これまで説明した実施の形態に限定されるものではなく、球入口にパチンコ球が入り難い第一の状態とパチンコ球が入り易い第二の状態とに切換制御可能な所謂「チューリップ」であってもよい。該変動入賞装置１１ｂは、図２０乃至図２２に示すように取付板６５と、該取付板６５の前面に起立および傾動自在に軸支７３する可動部材としての一対の開閉翼片６６，６６と、該開閉翼片６６，６６間に形成される球入口７４から流入するパチンコ球を受入れる入賞ケース６７と、前記開閉翼片６６，６６間に位置して該開閉翼片６６，６６の起立と傾動を制御する制御体としての回転体６８とで構成されている。前記取付板６５の裏面には底壁が前記回転体６８に向う下り傾斜状に形成された箱枠６９が設けられ、該箱枠６９内に前記回転体６８の盲動を防止する転球７０が封入されている。前記入賞ケース６７は遊技盤３の前面に突出するように設けられ、上面を開放して球入口７４を開設している。前記回転体６８は、この実施の形態では中心から放射状にほぼ等角度で突出する４枚の球接触片７１と、その各球接触片７１の対角状の両側端面に係合壁７２を設けて構成され、係合壁７２が前記開閉翼片６６，６６間に介入することによってその起立を保持し、また開閉翼片６６，６６間に係合壁７２のない部分が介入したときには開閉翼片６６，６６の自重によりその傾動を生じさせる周知構造のものである。そして、前記開閉翼片６６は、内部をパチンコ球が流下可能な中空貫通状に屈曲して形成されている。
【００５０】
上記構成の変動入賞装置１１ｂは、常態では開閉翼片６６，６６が回転体６８の係合壁７２に係合してハ字状に起立して開閉翼片６６，６６間で形成されるの球入口７４にパチンコ球を受入れ難い第一状態にあり、開閉翼片６６，６６内に流入したパチンコ球は変動入賞装置１１ｂの両側に導かれる。そして、開閉翼片６６，６６間の球入口７４にパチンコ球が入賞すると、図２２鎖線に示すように該パチンコ球が前記球接触片７１に接触して前記回転体６８が回転させ、開閉翼片６６，６６と係合壁７２との係合が解除され、図２０鎖線に示すように開閉翼片６６，６６が遊技盤３面と平行な面内で逆ハ字状に傾動してパチンコ球を受入れ易い第二状態に変化して、開閉翼片６６，６６で捕捉したパチンコ球を入賞球として入賞ケース６７で受入れる。また、このとき流入口３７から開閉翼片６６，６６内に飛入したパチンコ球は変動入賞装置１１ｂの下方に導かれる。なお、入賞ケース６７の底部を開放し、開閉翼片６６，６６が起立した常態ではパチンコ球は開閉翼片６６，６６間を通過してそのまま遊技盤３面に流下して、該通過により前記回転体６８が回転して開閉翼片６６，６６が傾動させ、この傾動時にパチンコ球を前記開閉翼片６６，６６で捕捉すると共に入賞球として遊技盤３側に誘導するようにしてもよい。なお、本実施の形態で開閉翼片６６，６６の起立と傾動を制御する制御体を回転体６８としたが傾動自在なシーソー体であってもよい。
【００５１】
また、前記変動入賞装置１１ｂは電気的駆動源により可動片１５ｂ、１５ｂを開閉するチューリップ型の前記始動入賞口１５をも含み、前記可動片１５ｂ、１５ｂを可動部材として内部をパチンコ球が通過し得る中空貫通状に形成してパチンコ球が可動片１５ｂ、１５ｂ内を流下するようにすればよい。
【００５２】
また、上記変動入賞装置１１ｂは常には開閉翼片６６，６６により球入口７４を閉塞するようにして、ソレノイド等の電気的駆動源により開閉翼片６６，６６を可動して球入口７４を開放するようにしてもよい。この変動入賞装置１１ｂは、図２３に示すように球入口７４を閉塞してパチンコ球を受入れない第一状態では、遊技盤３面を流下するパチンコ球を流入口３７から受入れて開閉翼片６６，６６内を流下して、再度遊技盤３面に放出する。そして、所定条件により電気的駆動源を駆動して図２３鎖線に示すように開閉翼片６６，６６を回動して球入口７４を形成開放する第二状態では、遊技盤３面を流下するパチンコ球を開閉翼片６６，６６で捕捉して前記入賞ケース６７に導くようにしている。なお、入賞ケース６７の底部を開放し、開閉翼片６６，６６の可動時に該開閉翼片６６，６６で捕捉すると共に遊技盤３側に誘導するようにしてもよい。
【００５３】
【発明の効果】
上記したように、常には球入口を閉塞する可動部材をパチンコ球が通過可能な中空貫通状に形成し、少なくとも球入口の閉塞状態において可動部材内をパチンコ球が通過するようにしたので、パチンコ球の動きに大きな変化をもたらすことになり単に球入口を閉塞するのみではなく、可動部材によって誘導されるパチンコ球の遊動を楽しむ従来にない変動入賞装置とすることができ、遊技が興趣に富む。特にパチンコ遊技は遊技者が遊技盤を流下する遊技球を視覚的に追いかけながら楽しむものであるから、パチンコ球の動きに大きな変化をもたせることは、遊技者の興趣を強く惹きつけることができ、遊技の興趣を高める上で極めて重要な効果を奏し、遊技者は遊技の面白味を充分満喫することができる。
【図面の簡単な説明】
【図１】パチンコ遊技機の正面図である。
【図２】変動入賞装置の正面図である。
【図３】図２の側断面図である。
【図４】入賞領域部分の平断面図である。
【図５】転動部分の平断面図である。
【図６】図２の裏面図である。
【図７】他の実施の形態の変動入賞装置の正面図である。
【図８】さらに他の実施の形態の変動入賞装置の正面図である。
【図９】図８の作用図である。
【図１０】図８の裏面図である。
【図１１】他の実施の形態の変動入賞装置部分の正面図である。
【図１２】他の実施の形態の変動入賞装置の正面図である。
【図１３】他の実施の形態の変動入賞装置の正面図である。
【図１４】図１３の側断面図である。
【図１５】図１４の他の実施の形態の側断面図である。
【図１６】図１５の作用図である。
【図１７】他の実施の形態の変動入賞装置の正面図である。
【図１８】図１７の側断面図である。
【図１９】図１７の他の実施の形態の変動入賞装置の正面図である。
【図２０】他の実施の形態の変動入賞装置の斜視図である。
【図２１】図２０の正面断面図である。
【図２２】図２０の側断面図である。
【図２３】他の実施の形態の変動入賞装置の正面断面図である。
【符号の説明】
３                  遊技盤
１１                変動入賞装置
１１ａ，１１ｂ      変動入賞装置
１５                始動入賞口（変動入賞装置）
１５ｂ、１５ｂ      可動片（可動部材）
２１                飾り部材
２２                球受棚
２３                球入口
２４                凹室（入賞領域）
２７                可変表示装置
２８，２８          翼片（可動部材）
２９                ソレノイド（電気的駆動源）
３７                流入口
３８                流出口
４０                転動部
４０ａ              誘導部
４０ｂ              遊走部
５１                正逆モータ（電気的駆動源）
５５                開口（球入口）
５６                開閉扉（可動部材）
６３                風車（障害部材）
６４                ガイド部材（障害部材）
６６                開閉翼片（可動部材）
６７                入賞ケース
７４                球入口
【図１】
0004221181.tif 000002
【図２】
0004221181.tif 000003
【図３】
0004221181.tif 000004
【図４】
0004221181.tif 000005
【図５】
0004221181.tif 000006
【図６】
0004221181.tif 000007
【図７】
0004221181.tif 000008
【図８】
0004221181.tif 000009
【図９】
0004221181.tif 000010
【図１０】
0004221181.tif 000011
【図１１】
0004221181.tif 000012
【図１２】
0004221181.tif 000013
【図１３】
0004221181.tif 000014
【図１４】
0004221181.tif 000015
【図１５】
0004221181.tif 000016
【図１６】
0004221181.tif 000017
【図１７】
0004221181.tif 000018
【図１８】
0004221181.tif 000019
【図１９】
0004221181.tif 000020
【図２０】
0004221181.tif 000021
【図２１】
0004221181.tif 000022
【図２２】
0004221181.tif 000023
【図２３】
0004221181.tif 000024